(57)【要約】【課題】  眼内レンズを眼内に埋植した際に生じるグレアの発生状態を好適に確認できる眼内レンズの検査装置を提供できる。【解決手段】  眼内レンズの光学特性を測定する眼内レンズ検査装置は、人眼の角膜曲率に合わせた曲面を有する角膜模型レンズ及び網膜曲率に合わせた曲面を有するスクリーンとを備え、角膜模型レンズ及びスクリーンとの間に設けられる着脱部であって、角膜模型レンズに対して人眼の角膜から水晶体までの距離に相当する位置に眼内レンズを着脱可能に設置させるための着脱部とを有する模型眼ユニットと、模型眼ユニットに対して所定の広がりを有する光束を照射するための光源ユニットと、角膜模型レンズに対する光束の光軸中心の入射角度を変えるために、模型眼ユニット及び光源ユニットの少なくとも一方を回動させるための回動機構と、を備える。【選択図】      図１
2013015345.tif 000002
【特許請求の範囲】
【請求項１】
眼内レンズの光学特性を測定するための眼内レンズ検査装置において、
人眼の角膜曲率に合わせた曲面を有する角膜模型レンズ及び網膜曲率に合わせた曲面を有するスクリーンとを備え、前記角膜模型レンズ及び前記スクリーンとの間に設けられる着脱部であって、前記角膜模型レンズに対して前記人眼の角膜から水晶体までの距離に相当する位置に前記眼内レンズを着脱可能に設置させるための着脱部とを有する模型眼ユニットと、
該模型眼ユニットに対して所定の広がりを有する光束を照射するための光源ユニットと、
前記角膜模型レンズに対する前記光束の光軸中心の入射角度を変えるために、前記模型眼ユニット及び前記光源ユニットの少なくとも一方を回動させるための回動機構と、
を備えることを特徴とする眼内レンズ検査装置。
【請求項２】
請求項１の眼内レンズ検査装置は、前記角膜模型レンズ及び前記着脱部に設置された前記眼内レンズを介して前記スクリーンに投影される前記光束の投影模様を前記スクリーンの後側から撮影するための撮影ユニットを備えることを特徴とする眼内レンズ検査装置。
【請求項３】
請求項２の眼内レンズ検査装置において、
前記模型眼ユニットは前記角膜模型レンズ及び前記スクリーンとの間の空間に所定の屈折率の液体を溜めることができる筐体であることを特徴とする眼内レンズ検査装置。
【請求項４】
請求項３の眼内レンズ検査装置は、
前記撮影ユニットで撮影された撮影画像を表示するためのモニタと、を備えることを特徴とする眼内レンズ検査装置。
【請求項５】
請求項４の眼内レンズ検査装置において、
前記撮影ユニットで撮影された撮影画像を画像処理することにより前記グレアを検出するためのグレア検出手段と、
該グレア検出手段による検出結果に基づき前記眼内レンズの良否の判定を行うための眼内レンズ判定手段と、を備えることを特徴とする眼内レンズ検査装置。
【請求項６】
請求項１乃至請求項５のいずれかに記載の眼内レンズ検査装置において、前記回動機構の回転軸は、前記模型眼ユニット又は前記光源ユニットがグレア検査を行うために必要となる所定の角度範囲で回動されたときに、前記光束の光軸中心が前記角膜模型レンズを通過するように前記模型眼ユニット上の所定位置に設けられることを特徴とする眼内レンズ検査装置。
【請求項７】
請求項６の眼内レンズ検査装置において、
前記回転軸は、前記角膜模型レンズの軸中心を通過することを特徴とする眼内レンズ検査装置。
【請求項８】
請求項１乃至請求項７のいずれかに記載の眼内レンズ検査装置において、前記光束は、球面波、平面波，または任意形状の拡散光であることを特徴とする眼内レンズ検査装置。
【発明の詳細な説明】
【技術分野】
【０００１】
本発明は、眼内に埋植される眼内レンズを検査するための眼内レンズ検査装置に関する。
【背景技術】
【０００２】
白内障手術による水晶体摘出後の視力補正に眼内レンズが用いられている。眼内レンズは、屈折力を持つ光学部と、光学部を眼内で支える一対の支持部とから構成されており、被検者眼に設けられる切開創から眼内に挿入される。また、切開創をできるだけ小さくするために、眼内レンズは折り曲げ可能な柔軟性と、元の状態に復元可能な弾性とを備える素材にて形成されている。
【０００３】
ところで、眼内レンズが眼内に設置された状態で光学部の周端部（コバ部）に対して斜め方向から光束が入射されると、入射光がコバ部で反射することによるぎらつき（グレア）が発生することがある。例えば、瞳孔が大きく開く夜間時には、コバ部に対して入射光が斜め方向から入射されやすくなるため、グレアが発生しやすくなる。グレアが発生すると、不要な眩しさによる不快感を患者に与えてしまうことになる。そこで、眼内レンズのコバ部に複数の溝を形成して入射光の反射方向を変えるなど、様々なグレア対策が検討されている（例えば、特許文献１参照）。
【先行技術文献】
【特許文献】
【０００４】
【特許文献１】特開平６−１８９９８６号公報
【発明の概要】
【発明が解決しようとする課題】
【０００５】
また、グレアの発生を好適に抑えた眼内レンズの開発及び製造を行うためには、眼内レンズを眼内に取り付けた状態を想定して、グレアの発生状態を好適に検査できる検査装置が求められている。
【０００６】
本発明は上記従来技術の問題点に鑑み、眼内レンズを眼内に埋植した際に生じるグレアの発生状態を好適に確認できる眼内レンズの検査装置を提供することを技術課題とする。
【課題を解決するための手段】
【０００７】
上記課題を解決するために、本発明は以下のような構成を備えることを特徴とする。
【０００８】
（１）  眼内レンズの光学特性を測定するための眼内レンズ検査装置において、人眼の角膜曲率に合わせた曲面を有する角膜模型レンズ及び網膜曲率に合わせた曲面を有するスクリーンとを備え、前記角膜模型レンズ及び前記スクリーンとの間に設けられる着脱部であって、前記角膜模型レンズに対して前記人眼の角膜から水晶体までの距離に相当する位置に前記眼内レンズを着脱可能に設置させるための着脱部とを有する模型眼ユニットと、該模型眼ユニットに対して所定の広がりを有する光束を照射するための光源ユニットと、前記角膜模型レンズに対する前記光束の光軸中心の入射角度を変えるために、前記模型眼ユニット及び前記光源ユニットの少なくとも一方を回動させるための回動機構と、を備えることを特徴とする。
（２）  （１）の眼内レンズ検査装置は、前記角膜模型レンズ及び前記着脱部に設置された前記眼内レンズを介して前記スクリーンに投影される前記光束の投影模様を前記スクリーンの後側から撮影するための撮影ユニットを備えることを特徴とする。
（３）  （２）の眼内レンズ検査装置において、前記模型眼ユニットは前記角膜模型レンズ及び前記スクリーンとの間の空間に所定の屈折率の液体を溜めることができる筐体であることを特徴とする。
（４）  （３）の眼内レンズ検査装置は、前記撮影ユニットで撮影された撮影画像を表示するためのモニタと、を備えることを特徴とする。
（５）  （４）の眼内レンズ検査装置において、前記撮影ユニットで撮影された撮影画像を画像処理することにより前記グレアを検出するためのグレア検出手段と、該グレア検出手段による検出結果に基づき前記眼内レンズの良否の判定を行うための眼内レンズ判定手段と、を備えることを特徴とする。
（６）  （１）乃至（５）のいずれかに記載の眼内レンズ検査装置において、前記回動機構の回転軸は、前記模型眼ユニット又は前記光源ユニットがグレア検査を行うために必要となる所定の角度範囲で回動されたときに、前記光束の光軸中心が前記角膜模型レンズを通過するように前記模型眼ユニット上の所定位置に設けられることを特徴とする。
（７）  （６）の眼内レンズ検査装置において、前記回転軸は、前記角膜模型レンズの軸中心を通過することを特徴とする。
（８）  （１）乃至（７）のいずれかに記載の眼内レンズ検査装置において、前記光束は、球面波、平面波，または任意形状の拡散光であることを特徴とする。
【発明の効果】
【０００９】
本発明によれば、眼内レンズを眼内に埋植した際に生じるグレアの発生状態を好適に確認できる眼内レンズの検査装置を提供できる。
【発明を実施するための形態】
【００１０】
以下、本発明の実施形態を図面に基づき説明する。図１は眼内レンズ検査装置１の概略説明図である。眼内レンズ検査装置１は、眼内レンズ１０を人眼に設置した状態を再現するための模型眼ユニット１００と、模型眼ユニット１００に所定の広がりを有する光束を照射させるための光源ユニット２００と、模型眼ユニット１００に投影された映像からエッジグレア（以下、グレアと記す）の発生状態を撮影するための撮影ユニット３００とを備える。
【００１１】
図２に模型眼ユニット１００の内部構成の説明図を示す。なお、図２には模型眼ユニット１００を光軸に水平な断面（角膜模型レンズ１１０の軸中心を通る光軸に対して水平な断面）切断して見たときの断面拡大図が示されている。
模型眼ユニット１００は、上部に開口部１０５が形成された箱状の筐体１０１と、人眼の角膜を模擬した角膜模型レンズ１１０と、人眼の網膜を模擬した網膜スクリーン１２０（以下、単にスクリーンと略す）と、眼の虹彩を模擬した絞り部（擬似虹彩）１３０と、筐体１０１内で眼内レンズ１０を着脱可能に保持するための着脱部である眼内レンズ保持部１４０とから構成されている。
【００１２】
筐体１０１には、光源ユニット２００から照射された光束を通過させるための貫通孔（図示は省略する）が前後方向に形成されており、光源ユニット２００に対向する側の貫通孔に角膜模型レンズ１１０が取り付けられ、撮影ユニット３００側に対向する側の貫通孔にスクリーン１２０が取り付けられるようになっている。筐体１０１の光軸方向の長さは、角膜模型レンズ１１０とスクリーン１２０との距離が人眼の眼軸長と略等しくなるように決定されている。また、筐体１０１の内部（内側）には、絞り部１３０と眼内レンズ保持部１４０とを着脱可能に取り付けるための図示を略す複数のスライド機構が設けられている。なお、スライド機構は、絞り部１３０の取り付け位置が人眼の角膜から虹彩までの距離に相当する位置に合わせて形成されており、眼内レンズ保持部１４０の取り付け位置が人眼の角膜から水晶体までの距離に相当する位置に合わせて形成されている。
【００１３】
角膜模型レンズ１１０は、ガラス又は樹脂等の透明な材料にて、人眼の角膜の曲率（角膜の曲率の平均値等）に合わせた曲面に形成されている。また、スクリーン１２０は、スクリーンとして使用可能な材料であって、投影されるグレアの模様を後ろ側から撮影できる程度に透光性を有しているものであれば良い。例えば、ガラス又は樹脂などの材料を半透明とした状態で、人眼の網膜の曲率に合わせた形状に形成されている。また、本実施形態のスクリーン１２０は筐体１０１の外側に位置される曲面が粗面（すりガラス状）となっている。これにより、スクリーン１２０にグレアの発生状態が投影されるようになる。なお、スクリーン１２０の粗面加工は、サンドブラスト、やすり掛けなどの周知の表面加工にて形成される。また、粗面は、スクリーン１２０の内側と外側の曲面上の少なくとも一方に形成されていれば良い。なお、本実施形態では網膜の形状に加工した部材を粗面加工することにより、スクリーンとして用いるものとしているが、これに限るものではない。着色等を施してスクリーンとして使用可能な程度に半透明状態にすることもできる。
【００１４】
絞り部１３０は、板部１３１と貫通孔１３２から構成される。板部１３１は、筐体１０１に形成された図示を略すスライド部に合わせてスライド可能な形状に形成されている。貫通孔１３２は、板部１３１を筐体１０１に取り付けたときに、角膜模型レンズ１１０から入射された光束が通過される光路上に形成される。なお、ここでの貫通孔１３２の径は、グレアが発生しやすい暗所で瞳孔が開いた状況を再現するために、一般的な眼が暗所で開いたときの瞳孔径に合わせて形成されている。なお、ここでの貫通孔１３２の径は固定であるが、貫通孔１３２の径は可変であっても良い。貫通孔１３２の径が可変であると、眼内レンズ１０の設計段階で、様々な条件（明るさ等）でのグレアの発生状態を確認しやすくなる。なお、貫通孔１３２が可変な場合の径の調節方法としては、手動の他、周知の電動機構にて自動で行われても良い。また、径の異なる貫通孔１３２が形成された複数の絞り部１３０を手動または自動的に筐体１０１に切換配置しても良い。
【００１５】
眼内レンズ保持部１４０は、板部１４１、貫通孔１４２、板部１４１の後方側（スクリーン１２０側）で眼内レンズ１０を保持するための保持部１４３とから構成されている。板部１４１は筐体１０１のスライド部に合わせたスライド可能な形状に形成される。貫通孔１４２は、板部１４１が筐体１０１に取り付けられたときに、絞り部１３０を通過した光束が通過する位置に形成される。なお、貫通孔１４２の径は、保持部１４３に保持された眼内レンズ１０に対して斜めに光束が入射されるときに、光学部の周縁に光束が十分に当たるように広く形成される。つまり、保持部１４３で保持された眼内レンズ１０（光学部）の周囲（前方）に、人眼に眼内レンズを設置したのと同程度な空間が形成されるようにしている。なお、本実施形態の保持部１４３は、貫通孔１４２の径よりも大きな径を有する溝（凹部）にて形成されており、溝の位置に支持部を嵌めこむことによって眼内レンズ１全体を保持する構成となっている。ここでの溝の径は、貫通孔１４２の径よりも広く、開放状態の眼内レンズ１０の最外形よりも僅かに小さい径とされる。これにより、眼内レンズ１０を取り付ける際には眼内レンズ１０全体が僅かに圧縮されるようになり、支持部を保持部１４３（溝）に取り付けた状態で生じる復元力によって眼内レンズ１０が保持されるようにしている。なお、保持部１４３の構成はこれに限られるものでは無く、支持部によって眼内レンズ１０全体が保持される構成であれば良い。
【００１６】
以上のような構成の模型眼ユニット１００が用いられることで、人眼に眼内レンズ１０と取り付けた状態とより近い条件で眼内レンズ１０の検査が行えるようになる。また、筐体１０１の開口部１０５の位置で眼内レンズ保持部１４０を着脱させるだけで、簡単に眼内レンズ１０を交換できるようになる。なお、ここでは、絞り１３０と眼内レンズ保持部１４０とは別部材とされ、筐体１０１に対して個別に着脱可能な構成となっている。これ以外にも、絞り部１３０と眼内レンズ保持部１４０とが一体成形されたものが、開口部１０５に対して着脱可能にされても良い。又は、筐体１０１に絞り部１３０が固定されていても良く、少なくとも眼内レンズ保持部１４０のみが筐体１０１に対して着脱される構成
となっていれば良い。
【００１７】
スクリーン１２０から所定距離だけ離れた後方側には、スクリーン１２０を撮影するための撮影ユニット１３０が置かれている。撮影ユニット１３０はＣＣＤなどの周知の撮像素子を備えており、撮像素子はスクリーン１２０と略共役位置に置かれる。また、撮影ユニット１３０にはモニタ１３１が接続されており、撮影ユニット１３０で撮影されたスクリーン１２０の画像が表示されるようになっている。なお、眼内レンズ検査装置１に撮影ユニット１３０を設けずに、スクリーン１２０に投影された投影模様を操作者が直接見ることによってグレアの発生状態を確認しても良い。
【００１８】
光源ユニット２００は、光源２１０と、光源２１０から照射された光束の径を角膜模型レンズ１１０全体に照射可能な程度に広げるための光学部材２２０とから構成される。例えば、光源２１０には光量を十分に確保できるレーザ光源の他、ＬＥＤ光源などが用いられる。光学部材２２０には、周知のレンズ、ビームエキスパンダ、拡散板等が用いられる。例えば、光学部材２２０に周知のレンズが用いられることで、光源２１０からの照射光が球面波に変更される。また、光学部材２２０にビームエキスパンダが使用されることで光源２１０からの照射光が平面波に変更される。また、光学部材２２０に拡散板が用いられることで、任意の形状の拡散光に変更される。なお、以上のような光学部材２２０は、光源２１０から照射された光束の径を角膜模型レンズ１１０全体に照射可能に広げるものが選択されれば良い。
なお、光源２１０としてハロゲンランプ等の所定の広がりを持つ光束（例えば、拡散光）を照射する光源が使用される場合には、光学部材２２０を設けずに、光源２１０からの光束を直接角膜模型レンズ１１０に照射するようにしても良い。
【００１９】
以上のような構成の模型眼ユニット１００及び撮影ユニット３００は支持台１５０に置かれる。また、光源ユニット２００は支持台２５０に置かれる。そして、支持台１５０及び支持台２５０はそれぞれ共通の基台２６０に取り付けられる。また、本実施形態では、支持台２５０が基台２６０に対して固定されるのに対して、支持台１５０は基台２６０に対して回動可能に取り付けられる。つまり、模型眼ユニット１００上で設定された回転軸Oを中心として回動される構成となっている。なお、ここでの回転軸Ｏは角膜模型レンズ１１０の角膜頂点位置（軸中心）を通る位置に設けられている。これ以外にも、回転軸Oは、模型眼ユニット１００が所定の角度範囲（グレア検査を行うために必要となる回転角度範囲、例えば６０度の角度範囲）で回動されるときに、光源ユニット２００からの光束（光軸中心）が常に角膜模型レンズ１２０に入射されるように、模型眼ユニット１００上の所定位置に設定される。これにより、グレア検査に必要な回転角度範囲で模型眼ユニット１００を回動させたときに、角膜模型レンズ１２０に対して好適に光束（光軸中心）が入射されるようになる。
【００２０】
なお、模型眼ユニット１００に対して光束が所定の角度範囲で入射される際に、光束が常に角膜模型レンズ１２０を通過する構成であれば良く、模型眼ユニット１００が固定され、光源ユニット２００が回動される構成であっても良い。
【００２１】
次に以上のような眼内レンズ検査装置１を用いて、眼内レンズ１０のグレアの発生状態を検査する場合の動作を説明する。まず、眼内レンズ１０の開発段階などで眼内レンズ１０を検査する例を説明する。図３は図１に示される眼内レンズ検査装置１を上方から見た図であり、眼内レンズ検査装置の使用状態を示している。図４は撮影ユニット３００の撮影で得られるスクリーン２００の撮影画像であり、グレアの発生状態が示されている。
【００２２】
はじめに操作者は、眼内レンズ保持部１４０の保持部１４３（溝）に、検査を行う眼内レンズ１０の支持部を取り付けて眼内レンズ１０を保持させる。次に、開口部１０５から
好ましくは生理食塩水等の体液に近い屈折率を有する液体を入れて筐体１０１内全体に液体を溜める。なお、筐体１０１内に液体が溜められることで、より実際の人眼に近い状態での検査が行われるようになる。次に、図示を略すスライド部を介して、筐体１０１に絞り部１３０と眼内レンズ保持部１４０とを取り付ける。
【００２３】
次に、模型眼ユニット１００（又は光源ユニット２００）を所定の回転角度範囲で回動させたときのグレアの発生状態を確認する。なお、回転角度は、光学部の周縁に光束が照射されることにより、グレアの発生の有無を確認できる角度範囲に決定される。
【００２４】
図３（ａ）に示すように、模型眼ユニット１００の光軸Ｌ２と光源ユニット２００の光軸Ｌ１とが略一致された状態で、光源ユニット２００の光源２１０が点灯されると、光源２１０から照射された光束の径が光学部材２２０で広げられて、模型眼ユニット１００の角膜模型レンズ１１０に入射されるようになる。角膜模型レンズ１１０を通過した光束は、絞り部（擬似虹彩）１３０の貫通孔を経て、眼内レンズ１０の光学部を照明する。そして、眼内レンズ１０を透過した光束は、スクリーン１２０に投影される。本実施形態ではスクリーン１２０の外側曲面が粗面になっているので、眼内レンズ１０を透過または反射した光による投影模様がスクリーン１２０上に現れるようになる。スクリーン１２０に現れた投影模様（エッジグレアの発生状態）は、撮影ユニット１３０で撮影される。
【００２５】
図４（ａ）に、この時のスクリーン１２０の撮影画像を示す。図３（ａ）に示すように、角膜模型レンズ１１０の軸中心Ｏに対して真っ直ぐに入射光が入射される場合には、光学部のコバ部に入射光が照射されない（照射されたとしても僅かであるので）、投影模様からエッジグレアは確認されない。
【００２６】
ところで、光学部のコバ部による入射光の反射で発生するグレアは、眼内レンズ１０（光学部）に対する光束の入射角度が大きくなる（斜めに入射される）と発生しやすくなる。そこで、操作者は、角膜模型レンズ１１０の軸中心Ｏを回転軸として、模型眼ユニット１１０が載せられている支持台１５０を所定の回転角度で回動させることにより、模型眼ユニット１１０に対する入射光の入射角度を変えて、グレアGの発生状態の変化を観察する。
【００２７】
図３（ｂ）に示すように、角膜模型レンズ１１０の軸中心を回転軸Ｏとして支持台１５０を角度θ１で回動させる。これにより、光源ユニット２００から照射された光束が角膜模型レンズ１１０に対して斜め方向から入射されるようになる。これにより、貫通孔１３２及び貫通孔１４２を通過した光束は眼内レンズ１０の軸中心Ｏからずれた位置に照射されるようになると共に、その光束の一部が光学部のコバ部に照射されて反射されるようになる。これにより、図４（ｂ）の撮影画像に示すように、スクリーン１２０の投影模様の中心付近に円弧状のグレアGが確認されるようになる。
【００２８】
そして、図３（ｃ）に示すように、角膜模型レンズ１１０の軸中心を回転軸Ｏとして支持台１５０を角度θ２（θ１＜θ２）で更に大きく回動させると、角膜模型レンズ１１０に対する光束の入射角度が更に大きくなることで、各貫通孔１３２及び１４２を通過した光束が眼内レンズ１０の軸中心から更にずれた位置に入射されるようになる。その為、図４（ｃ）の撮影画像に示されるように、スクリーン１２０の投影模様の中心付近で確認されていたグレアGが、次第にスクリーン１２０の外周付近で確認されるようになる。
【００２９】
以上のように、検者は光源ユニット２００に対して、模型眼ユニット１００を角膜模型レンズ１１０の軸中心を回転軸Ｏとして所定の回転角度で回動させることによって、光学部に対する光束の入射角度を次第に変更する。そして、スクリーン１２０に投影されるグレアの発生状態の変化を、撮影ユニット３００を介して観察する。
【００３０】
以上のように、眼内レンズ１０の開発段階で本発明の構成を備える眼内レンズ検査装置１が用いられることで、人眼で生じる可能性のあるグレアの発生状態を好適に再現できるようになる。その為、グレアの発生が好適に抑制された眼内レンズを設計することができるようになる。なお、図１に示すように、撮影ユニット３００にモニタ３０１を接続して、撮影ユニット３００で撮影された撮影画像をモニタ３０１を介して眼内レンズ１０のグレアＧを確認しても良い。
【００３１】
また、以上のような眼内レンズ検査装置１は眼内レンズ１０の製造段階に使用されると便利である。この場合には、以上のような構成の眼内レンズ検査装置１の撮影ユニット３００に、眼内レンズ１０の良否判定をするための眼内レンズ判定装置を接続する。また、眼内レンズ検査装置１全体の動作制御を行うための制御手段を設ける。
【００３２】
図示を略す制御手段は、検査を行う眼内レンズ１０が予め保持部１４３に保持された眼内レンズ保持部１４０を、内部に所定の屈折率を有する液体が溜められた状態にある筐体１０１の開口部１０５の位置に自動的に配置する。そして、図示を略す電動機構の駆動により、模型眼ユニット１００及び撮影ユニット３００が置かれた支持台１５０を、角膜模型レンズ１１０の軸中心を回転軸Ｏとして所定の回転角度で回動させる（眼内レンズ１０の光学部のコバに光束が照射されるように所定の回転角度で回転させる）。一方、制御手段は撮影ユニット３００の駆動制御によりスクリーン１２０の撮影を行う。撮影ユニット３００で取得された画像情報は、眼内レンズ判定装置に送られる。なお、眼内レンズ判定装置にはグレア判定の為の輝度の閾値情報が予め記憶されているとする。これにより、メモリに記憶された輝度情報とスクリーン１２０の撮影画像を構成する輝度情報との比較により、グレアの発生箇所を抽出する。そして、所定の回転角度での眼内レンズ１０のグレアの発生状態を抽出した結果、グレアが発生していないと判定された眼内レンズ１０のみが採用されるようにしても良い。
【００３３】
以上のように、実際の人眼により近い構成の模型眼ユニットを備える眼内レンズ検査装置を眼内レンズ１０の製造段階で用いることで、製造段階でグレアが発生する基準を超える眼内レンズを精度よく取り除くことができ、より好適に眼内レンズを提供できるようになる。
【００３４】
なお、眼内レンズ検査装置１（模型眼ユニット１００）は以上の構成に限られるものではない。図５に模型眼ユニット１００の構成の変用例を示す。ここでは、模型眼ユニット１００を光軸Ｌ２の位置で上下に切断し、上方（開口部１０５側）から見た断面図が示されている。なお、図５において上述の眼内レンズ検査装置１と同一の構成には同じ図番号を付して説明する。
【００３５】
ここでは、眼内レンズ保持部１４０にて眼内レンズ１０が保持される位置が、光軸Ｌ２に対して偏心した位置に設けられている。つまり、板部１４１が筐体１０１に取り付けられた状態で、貫通孔１４２に対して保持部１４３が偏心した位置となるように形成されている。これにより、保持部１４３で保持された眼内レンズ１０のコバ部に、光源ユニット２００から照射された光束が照射されやすくなり、コバ部に照射される光量が十分確保されることで、よりグレアの発生状態を好適に確認できるようになる。
【図面の簡単な説明】
【００３６】
【図１】眼内レンズ検査装置の概略説明図である。
【図２】模型眼ユニットの内部構成の説明図である。
【図３】眼内レンズ検査装置の使用状態の説明図である。
【図４】グレアの発生状態の説明図である。
【図５】模型眼ユニットの変用例である。
【符号の説明】
【００３７】
１  眼内レンズ検査装置
１００  模型眼ユニット
１０５  開口部
１１０  角膜模型レンズ
１２０  スクリーン
１３０  絞り部１３０
１４０  眼内レンズ保持部
１５０、２５０  支持台
２００  光源ユニット
３００  撮影ユニット
３０１  モニタ
【図１】
2013015345.tif 000003
【図２】
2013015345.tif 000004
【図３】
2013015345.tif 000005
【図４】
2013015345.tif 000006
【図５】
2013015345.tif 000007